(57)【要約】【課題】省資源化、コストダウンを目的とする剥離紙のない伝票類カバー用粘着シートを提供する。【解決手段】表面に剥離処理の施された剥離コート層３をもつ透明プラスチクフィルムからなるカバー基材２の背面の両側部に、強い粘着力をもつ帯状の粘着剤層４，４を形成し、両側部の帯状の粘着剤層４，４に挟まれる中間領域２ｃに、左右に非粘着部分５，５を介在させて再剥離を可能とする再剥離粘着剤層６を形成して剥離紙のない伝票類カバー用粘着シートとした。また、使用に便利なように、１枚地の伝票類カバー用粘着シートに切離できる分離線７を形成した。【選択図】図１
0003111629.tif 000002
【実用新案登録請求の範囲】
【請求項１】
表面に剥離処理の施された剥離コート層をもつ透明プラスチックフィルムからなるカバー基材の背面の両側に、強い粘着力を持つ帯状の粘着剤層を形成し、両側部の粘着剤層に挟まれる中間領域に左右に非粘着部分を介在して再剥離を可能とする再剥離粘着剤層を形成した剥離紙のない伝票類カバー用粘着シート。
【請求項２】
粘着シートは、カバー基材の両側部の粘着剤層、中間領域の再剥離粘着剤層及びその左右の非粘着部分を横断して１枚地の伝票類カバーに切離する分離線が形成された請求項１記載の剥離紙のない伝票類カバー用粘着シート。
【考案の詳細な説明】
【技術分野】
【０００１】
この考案は、背面に粘着剤を塗布した１枚の透明プラスチックフィルムにて形成した粘着シートを、荷物などの被着体面に貼り付け、被着体の表面との間に伝票類を介在させて封入する伝票類カバーであって、剥離紙を必要としない省資源化を目的とする伝票類カバー用粘着シートである。
【背景技術】
【０００２】
一般に、配送業者が依頼主より荷物を受取り、荷受先に配送するに送り状、納品書などの伝票類が荷物に貼り付けられる。この伝票類の脱落を防ぎ保護する為に、透明なプラスチックフィルムの袋状カバーに封入され、このカバーを背面に塗布した粘着剤にて荷物に貼り付けている。
【０００３】
例えば、一般的な例として、実公昭６２−１３０９１号公報に示されるような配送伝票ホルダーがある。これは、透明なプラスチックフィルムベースの上に、透明プラスチックフィルムカバーを一辺を熱溶着して、他辺を粘着剤にて保持し、フィルムベースとフィルムカバーの間に伝票類を介在させ、左右端辺が開放するホルダーとしている。
【０００４】
しかし、この場合、ホルダーを形成するためにフィルムベースとフィルムカバーを必要とし、一辺を熱溶着し、他辺を伝票類を封入する為に剥離でき、且つ、封入後に固定するための粘着剤層を設け、しかも、フィルムベースの粘着剤を保護するために台紙と呼ばれる剥離紙にて保持されているなど構成が複雑で、材料コストが嵩む欠点を有する。更に、剥離紙はホルダーを剥がした後はゴミとして処理されにすぎない。近年、省資源化、コストダウンが課題となり、ゴミの出ない資材が求められている。
【０００５】
【特許文献１】実公昭６２−１３０９１号公報
【考案の開示】
【考案が解決しようとする課題】
【０００６】
本考案は、流通コストの低減が可能で、省資源化を達成できる伝票類カバーを得ることを目的とし、且つ、搬送途中で封入した伝票類が脱落しない確実な保持を達成する伝票類カバー用粘着シートを提供するものである。
【課題を解決するための手段】
【０００７】
その為、本考案は、１枚の透明プラスチックフィルムを基材とする粘着シートを荷物である被着体に貼り付けることで、被着体表面との間に伝票類の封入部を形成することを要旨とするものである。
【０００８】
即ち、請求項１に係る本考案は、表面に剥離処理の施された剥離コート層をもつ透明プラスチックフィルムからなるカバー基材の背面の両側に、強い粘着力をもつ帯状の粘着剤層を形成し、両側部の粘着剤層に挟まれる中間領域に、左右に非粘着部分を介在して再剥離を可能とする再剥離粘着剤層を形成した剥離紙のない伝票類カバー用粘着シートとした。
【０００９】
また、請求項２に係る本考案は、カバー基材の両側分の粘着剤層、中間領域の再剥離粘着剤層及びその左右の非粘着部分を横断して１枚地の伝票類カバーに切離する分離線を形成したものである。
【００１０】
本考案では、１枚地のプラスチックフィルムからなる粘着シートで伝票類を封入できる封入部を形成できるため、２枚地のプラスチックフィルムを使用する袋物の場合に比べ省資源化が図れ、コストダウンとなる。
【００１１】
また、表面に剥離コート層を形成することで、粘着シートをロール状に巻き取った場合にも背面の粘着剤が接着せず、剥離紙を必要としないので、更に省資源化、コストダウンが図れる。
【００１２】
また、背面の両側の帯状の粘着剤層を除くその他の中間領域部分に再剥離粘着剤層を形成しているので、封入部は恰も袋状の保持ができ、再剥離粘着剤層による粘着力で封入した伝票類が脱落することがない。
【００１３】
更に、封入部は再剥離粘着剤層にて形成されるため、封入した伝票類の取り出しや再度の封入に支障がない。
【００１４】
尚、被着体面に接着する強い粘着剤層は、カバー基材の両側に帯状に塗布しているので、高価な粘着剤の無駄がない。
【考案を実施するための最良の形態】
【００１５】
図１は本考案の伝票類カバー用粘着シート１の背面図、図２は断面図を示すもので、透明プラスチックフィルムからなる方形のカバー基材２の表面に、シリコンコート等公知の材料による剥離コート層が形成され、カバー基材２の背面には左右の側方向にそって帯状の、強い粘着力をもつ粘着剤層４，４が形成され、該帯状の粘着剤層４，４に挟まれる中間領域２ｃに、左右に非粘着部分５，５を介在させて再剥離が可能な弱い粘着力の再剥離粘着剤層６が形成されている。
【００１６】
尚、前記帯状の粘着剤層４，４は、被着体への接着が目的であるから、接着力に影響のない程度に帯状の巾は極力狭めることで粘着剤の無駄を低減させることができる。
【００１７】
この伝票類カバー用粘着シート１は、図３に示すように長手方向に連続して形成した粘着シートを各１枚毎に切離するミシン目などの分離線７を形成してロール状に巻き取られて提供される。又、ミシン目を形成しない連続地のものは、封入する伝票類の巾に対応する任意な巾に、ラベラー等によって１枚毎に切断して使用される。
【００１８】
以上のように構成したことで、使用に際しては１枚毎の伝票類カバー用粘着シートに切離し、背面の再剥離粘着剤層６に伝票類Ｂを貼り付けた後、両側の帯状の強い粘着剤層４，４の粘着力にて荷物である被着体面Ａに強固に貼り付けられて、伝票類Ｂは被着体Ａ面に封入される。
【００１９】
封入後は伝票類カバー１を表面から押圧することで、カバー基材２は再剥離粘着剤層６の粘着力で伝票類Ｂを担持すると共に、伝票類が存在しない周縁部８，８は、再剥離粘着剤層６にて被着体Ａの表面に保持され、封入した伝票類Ｂが抜け落ちることを防止している（図４参照）。
【００２０】
尚、カバー基材２の片側に設けられた非粘着部分５´は、荷受側で伝票類カバー用粘着シート１を剥がすときにの摘み代となり、剥がす作業を容易にしたものである。
【００２１】
本考案は、荷物の集配用に好適で、省資源化が図れ、コストダウンを可能とする伝票類カバー用粘着シートとして流通コストの低減に寄与するものである。
【図面の簡単な説明】
【００２２】
【図１】本考案の剥離紙のない伝票類カバー用粘着シートの実施例を示す背面図である。
【図２】同断面図である。
【図３】連続して形成され、ミシン目により１枚地の伝票類カバー用粘着シートに切離可能な状態の説明図である。
【図４】伝票類を封入し、被着体に接着された状態の説明図である。
【図５】伝票類の封入された状態を示す断面図である。
【符号の説明】
【００２３】
１    伝票類カバー用粘着シート
２    カバー基材
２ａ    基材の表面
２ｂ    基材の背面
２ｃ    基材の中間領域
３    剥離コート層
４    強い粘着剤層
５    非粘着部分
６    再剥離粘着剤層
７    分離線
【図１】
0003111629.tif 000003
【図２】
0003111629.tif 000004
【図３】
0003111629.tif 000005
【図４】
0003111629.tif 000006
【図５】
0003111629.tif 000007